(57)【要約】【課題】自分撮り構図確認用の反射鏡を備える撮影装置において、反射鏡に写る反射像と撮影レンズを通して撮影された画像の構図を一致させる。【解決手段】被写体を撮影する撮影レンズ２を含む撮影手段と、撮影レンズ２の前面側に配置され、被写体からの入射光を反射する反射鏡３と、その反射鏡３の画角情報に基づいて、撮影手段で撮影される画像の画角を変更する画角変更手段と、を備える。画角変更手段は、例えば撮影レンズ２の焦点距離を変更することにより、撮影される画像の画角を変更する。具体的には、反射鏡３の画角情報を取得する画角情報取得手段を備え、画角変更手段は、画角情報取得手段により取得した反射鏡３の画角情報４に基づいて、撮影される画像の画角を変更する。画角情報取得手段は、例えば反射鏡３の裏面に反射印刷された画角情報４を読み取ることで、反射鏡３の画角情報を取得する。【選択図】図２
2016220053.tif 000002
【特許請求の範囲】
【請求項１】
被写体を撮影する撮影レンズを含む撮影手段と、
前記撮影レンズの前面側に配置され、前記被写体からの入射光を反射する反射鏡と、
前記反射鏡の画角情報に基づいて、前記撮影手段で撮影される画像の画角を変更する画角変更手段と、を備えることを特徴とする撮影装置。
【請求項２】
前記画角変更手段は、前記撮影レンズの焦点距離を変更することにより、前記画像の画角を変更することを特徴とする請求項１に記載の撮影装置。
【請求項３】
前記画角変更手段は、前記撮影レンズのズーム倍率を変更することにより、前記画像の画角を変更することを特徴とする請求項１に記載の撮影装置。
【請求項４】
前記画角変更手段は、前記画像をトリミングすることにより、当該画像の画角を変更することを特徴とする請求項１に記載の撮影装置。
【請求項５】
前記反射鏡の画角情報を取得する画角情報取得手段を備え、
前記画角変更手段は、前記画角情報取得手段により取得した前記画角情報に基づいて、前記画像の画角を変更することを特徴とする請求項１から４のいずれか一項に記載の撮影装置。
【請求項６】
前記画角情報取得手段は、前記反射鏡の裏面に反射印刷された前記画角情報を読み取ることで、前記画角情報を取得することを特徴とする請求項５に記載の撮影装置。
【請求項７】
前記画角情報取得手段は、前記反射鏡のサイズを読み取ることで、前記画角情報を取得することを特徴とする請求項５に記載の撮影装置。
【請求項８】
前記画角情報取得手段は、前記反射鏡を固定する筐体内に備えられていることを特徴とする請求項５から７のいずれか一項に記載の撮影装置。
【請求項９】
前記反射鏡は、所定の反射率と透過率を有するハーフミラーであることを特徴とする請求項１から８のいずれか一項に記載の撮影装置。
【請求項１０】
前記反射鏡は、凸面鏡であることを特徴とする請求項１から９のいずれか一項に記載の撮影装置。
【請求項１１】
被写体を撮影する撮影レンズを含む撮影手段と、前記撮影レンズの前面側に配置され、前記被写体からの入射光を反射する反射鏡と、を備えた撮影装置の画角変更方法であって、
前記反射鏡の画角情報に基づいて、前記撮影手段で撮影される画像の画角を変更する画角変更ステップを含むことを特徴とする撮影装置の画角変更方法。
【請求項１２】
被写体を撮影する撮影レンズを含む撮影手段と、前記撮影レンズの前面側に配置され、前記被写体からの入射光を反射する反射鏡と、を備えた撮影装置のコンピュータを、
前記反射鏡の画角情報に基づいて、前記撮影手段で撮影される画像の画角を変更する画角変更手段として実行するプログラム。
【発明の詳細な説明】
【技術分野】
【０００１】
本発明は、自分撮り構図確認用の反射鏡を備える撮影装置と、その撮影装置の画角変更方法、及びプログラムに関する。
【背景技術】
【０００２】
カメラにおいて、自分撮り時の構図確認用に撮影レンズ付近に小型の鏡を実装したものが知られている（例えば特許文献１参照）。
なお、監視用カメラ等でハーフミラー越しに撮影するカメラも知られている。
また、固体撮像素子の受光面内に被写体の光学的像が収まるように、自分撮り構図確認用のハーフミラーを透過する光を収束させる光収束手段（凸レンズ）を設けた画像入力装置もある（特許文献２参照）。
【先行技術文献】
【特許文献】
【０００３】
【特許文献１】特開２００３−１９５４０３号公報
【特許文献２】特開２０００−２７８５６７号公報
【発明の概要】
【発明が解決しようとする課題】
【０００４】
自分撮り構図確認用の反射鏡を備えるカメラを用いて自分撮りを行なう場合、反射鏡の画角と撮影レンズの画角が一致していなければ、反射鏡に写る反射像と撮影レンズを通して撮影された画像の構図に差が生じるという問題がある、結果として、例えば、撮影画像に写っている自分の周囲に大きな余白ができたり、逆に自分の画像の一部が切れてしまうことも起こり得る。
【０００５】
本発明の課題は、自分撮り構図確認用の反射鏡を備える撮影装置において、反射鏡に写る反射像と撮影レンズを通して撮影された画像の構図を一致させることである。
【課題を解決するための手段】
【０００６】
以上の課題を解決するため、本発明は、
被写体を撮影する撮影レンズを含む撮影手段と、
前記撮影レンズの前面側に配置され、前記被写体からの入射光を反射する反射鏡と、
前記反射鏡の画角情報に基づいて、前記撮影手段で撮影される画像の画角を変更する画角変更手段と、を備える撮影装置を特徴とする。
【発明の効果】
【０００７】
本発明によれば、自分撮り構図確認用の反射鏡を備える撮影装置において、反射鏡に写る反射像と撮影レンズを通して撮影された画像の構図を一致させることができる。
【図面の簡単な説明】
【０００８】
【図１】本発明を適用した撮影装置の一実施形態の構成を示すもので、カメラの反射鏡を分解して示す概略斜視図である。
【図２】図１の反射鏡を裏面側から見た図である。
【図３】実施形態２を示すもので、図１と同様の分解斜視図である。
【図４】本発明を適用した撮影装置の一実施形態のブロック図である。
【図５】本発明を適用した撮影装置の一実施形態のフローチャートである。
【発明を実施するための形態】
【０００９】
以下、図を参照して本発明を実施するための形態を詳細に説明する。
【００１０】
（要点）
反射鏡情報（反射鏡の画角情報）を読み取り、反射鏡に合わせて、撮影レンズの画角を変更する。
【００１１】
（実施形態１）
図１は本発明を適用した撮影装置の一実施形態の概略構成としてカメラの反射鏡を分解して示すもので、１は筐体、２は撮影レンズ、３はハーフミラー（反射鏡）である。
【００１２】
図示のように、カメラは、筐体１の撮影レンズ２の前面側に、反射鏡である大きなハーフミラー３を有する自分撮りカメラである。
このハーフミラー３は、所定の透過率と反射率を有する凸面鏡で、被写体からの入射光を撮影レンズ２に透過させる透光部を有している。この透光部は、少なくとも撮影レンズ２の画角部分に対応している。
【００１３】
従って、撮影者は、ハーフミラー３に写る自分の姿や表情を確認しながら、撮影を行うことができる。
なお、カメラの筐体１には、撮影レンズ２と、その撮影レンズ２を通した画像を取り込む撮像素子とを含む撮影手段が内蔵されるとともに、その撮影手段により撮影された画像データを処理するコンピュータが内蔵されている。
【００１４】
図２はハーフミラー３を裏面側から見たもので、図示のように、ハーフミラー３の筐体１への貼付面となる裏面に、画角情報が入力されたＱＲコード（登録商標）等の識別情報による画角情報４を印字する。図示例では、ハーフミラー３の裏面の一隅部に画角情報４が設けられている。
【００１５】
なお、撮影手段には、撮影レンズ２の画角を変更する画角変更手段が含まれている。
また、撮影レンズ２は画角情報４を読み取って取得する画角情報取得手段を兼ねている。
【００１６】
図４は本発明を適用した撮影装置の一実施形態のブロック図であり、撮影レンズ２を通した画像を画像処理部１１で、例えば、輝度／色差信号に変換し、表示部１２で当該画像を表示する。
また、例えば、ＣＰＵ１４で所定の符号化処理を行い、符号データを記録部１３に記録する。
【００１７】
図５は本発明を適用した撮影装置の一実施形態のフローチャートであり、ハーフミラー３を本体１に組み込む際に、撮影レンズ２でハーフミラー３の裏面の一隅部に貼付されている画角情報４を読み込む（ステップＳ１０）ことで、そのハーフミラー３の画角情報を取得し（ステップＳ１１）、画角情報に基づいてレンズ画角を、画角変更手段により撮影レンズ２に自動設定する（ステップＳ１２）。
具体的には、ハーフミラー３の画角に合わせて、撮影レンズ２の焦点距離を変更することにより、撮影レンズ２の画角を変更する。
【００１８】
以上、実施形態の自分撮り構図確認用のハーフミラー３を備えるカメラによれば、画角情報取得手段を兼ねた撮影レンズ２で画角情報４を読み込むことにより、そのハーフミラー３のサイズに合ったレンズ画角を、画角変更手段により、ハーフミラー３の画角に合わせて、撮影レンズ２の焦点距離を変更することで、撮影レンズ２の画角を変更することができる。
従って、撮影レンズ２の画角とハーフミラー３の画角が異なる場合においても、撮影レンズ２の画角をハーフミラー３の画角に自動で合わせることができる。
【００１９】
（実施形態２）
図３は実施形態２を示すもので、ハーフミラー３のサイズがそれぞれ異なる場合は、図示のように、筐体１のハーフミラー固定面に複数のフォトセンサ５〜８を搭載し、受光（遮光）された位置を感知することによって、ハーフミラー３のサイズに対応する画角を検知してもよい。
【００２０】
図示例では、筐体１のハーフミラー固定面の四隅部に、画角情報取得手段としてフォトセンサ５〜８を配置し、その４個のフォトセンサ５〜８が受光（遮光）を感知した位置の組み合わせによって、ハーフミラー３のサイズを特定し、画角の検知を可能としている。
【００２１】
以上の実施形態２によっても、前述した実施形態１と同様の作用効果が得られる。
【００２２】
（変形例１）
前述した実施形態では、ハーフミラー３の画角に合わせて、撮影レンズ２の焦点距離を変更したが、撮影レンズ２のズーム倍率を変更することにより、ハーフミラー３の画角に合わせて、撮影レンズ２の画角を変更しても、同様の作用効果が得られる。
【００２３】
（変形例２）
また、撮影画像に対し、トリミングを行うことにより、撮影レンズ２を通して撮影された画像をハーフミラー３の画角に合わせても、同様の作用効果が得られる。
【００２４】
（他の変形例）
以上の実施形態においては、カメラとしたが、本発明はこれに限定されるものではなく、カメラを備える携帯電話など他の電子機器であってもよい。
また、反射鏡及び筐体の形状、画角情報取得手段の種類、位置または数等も任意であり、その他、具体的な細部構造等についても適宜に変更可能であることは勿論である。
【００２５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
被写体を撮影する撮影レンズを含む撮影手段と、
前記撮影レンズの前面側に配置され、前記被写体からの入射光を反射する反射鏡と、
前記反射鏡の画角情報に基づいて、前記撮影手段で撮影される画像の画角を変更する画角変更手段と、を備えることを特徴とする撮影装置。
＜請求項２＞
前記画角変更手段は、前記撮影レンズの焦点距離を変更することにより、前記画像の画角を変更することを特徴とする請求項１に記載の撮影装置。
＜請求項３＞
前記画角変更手段は、前記撮影レンズのズーム倍率を変更することにより、前記画像の画角を変更することを特徴とする請求項１に記載の撮影装置。
＜請求項４＞
前記画角変更手段は、前記画像をトリミングすることにより、当該画像の画角を変更することを特徴とする請求項１に記載の撮影装置。
＜請求項５＞
前記反射鏡の画角情報を取得する画角情報取得手段を備え、
前記画角変更手段は、前記画角情報取得手段により取得した前記画角情報に基づいて、前記画像の画角を変更することを特徴とする請求項１から４のいずれか一項に記載の撮影装置。
＜請求項６＞
前記画角情報取得手段は、前記反射鏡の裏面に反射印刷された前記画角情報を読み取ることで、前記画角情報を取得することを特徴とする請求項５に記載の撮影装置。
＜請求項７＞
前記画角情報取得手段は、前記反射鏡のサイズを読み取ることで、前記画角情報を取得することを特徴とする請求項５に記載の撮影装置。
＜請求項８＞
前記画角情報取得手段は、前記反射鏡を固定する筐体内に備えられていることを特徴とする請求項５から７のいずれか一項に記載の撮影装置。
＜請求項９＞
前記反射鏡は、所定の反射率と透過率を有するハーフミラーであることを特徴とする請求項１から８のいずれか一項に記載の撮影装置。
＜請求項１０＞
前記反射鏡は、凸面鏡であることを特徴とする請求項１から９のいずれか一項に記載の撮影装置。
＜請求項１１＞
被写体を撮影する撮影レンズを含む撮影手段と、前記撮影レンズの前面側に配置され、前記被写体からの入射光を反射する反射鏡と、を備えた撮影装置の画角変更方法であって、
前記反射鏡の画角情報に基づいて、前記撮影手段で撮影される画像の画角を変更する画角変更ステップを含むことを特徴とする撮影装置の画角変更方法。
＜請求項１２＞
被写体を撮影する撮影レンズを含む撮影手段と、前記撮影レンズの前面側に配置され、前記被写体からの入射光を反射する反射鏡と、を備えた撮影装置のコンピュータを、
前記反射鏡の画角情報に基づいて、前記撮影手段で撮影される画像の画角を変更する画角変更手段として実行するプログラム。
【符号の説明】
【００２６】
１  筐体
２  撮影レンズ（画角情報取得手段）
３  ハーフミラー（反射鏡、凸面鏡）
４  画角情報
５〜８  フォトセンサ（画角情報取得手段）
【図１】
2016220053.tif 000003
【図２】
2016220053.tif 000004
【図３】
2016220053.tif 000005
【図４】
2016220053.tif 000006
【図５】
2016220053.tif 000007